(57)【要約】　　　（修正有）【課題】本発明は、取付けに支障をきたすような変形を伴うことなく、磁気ディスク装置の幅方向における規格許容範囲内でのばらつきを吸収できる磁気ディスク装置の取付部材、及びそれを搭載した電子機器を提供する。【解決手段】取付部材の傾斜側面部１０２は、内側に傾斜され、載置するＨＤＤの幅規格に応じて、載置台１０１の幅寸法を許容範囲の最大値となる幅で、傾斜側面部１０２の上端間の寸法を許容範囲の最小値となる幅の台形形状に形成されている。そして、ＨＤＤ１を取付部材に取付ける場合で、傾斜側面部１０２がそのままの状態ではＨＤＤ１が載置できない場合には、傾斜側面部１０２の上端間の距離を広げる方向に引っ張り、傾斜側面部１０２の上端間を広げてＨＤＤ１を挿入し、捩子止めしてＨＤＤ１を固定させる。【選択図】　図７
2004039084.tif 000002
【特許請求の範囲】
【請求項１】
電子機器に対して磁気ディスク装置を抜き差し可能に取り付けるレール部を有する磁気ディスク装置の取付部材において、
前記磁気ディスク装置を載置する載置部と、
前記載置部に弾性的に連結し、前記載置部側に傾斜させて設けられ、前記磁気ディスク装置の側面を保持する側面保持部と
を有しており、
前記載置部と前記側面保持部とからなる断面が台形形状となることを特徴とする磁気ディスク装置の取付部材。
【請求項２】
前記載置部と連結した前記側面保持部の下端間の距離は、搭載する磁気ディスク装置の規格幅における許容範囲の最大値と略同じかそれ以上の寸法で形成され、
前記側面保持部の上端間の寸法は、搭載する磁気ディスク装置の規格幅における許容範囲の最小値と略同じかそれ以下の寸法で形成されていることを特徴とする請求項１記載の磁気ディスク装置の取付部材。
【請求項３】
前記側面保持部は、その上端間の距離が一定範囲で変形できるようバネ性を有する素材で形成されることを特徴とする請求項１又は請求項２のいずれか記載の磁気ディスク装置の取付部材。
【請求項４】
前記側面保持部における傾斜部分とは別に設けられ、前記載置部と略直角となるよう形成された磁気ディスク装置固定部を有することを特徴とする請求項１乃至請求項３のいずれか記載の磁気ディスク装置の取付部材。
【請求項５】
前記レール部は前記側面保持部に沿って形成されており、前記レール部、前記載値部及び前記側面保持部は一体的に構成されていることを特徴とする請求項１乃至請求項４のいずれか記載の磁気ディスク装置の取付部材。
【請求項６】
レール部を有する取付部材に磁気ディスク装置を載置し、この取付部材のレール部を用いて磁気ディスク装置を抜き差し可能に取り付けられた電子機器において、
前記磁気ディスク装置を載置する載置部と、前記載置部に弾性的に連結し、前記載置部側に傾斜させて設けられ、前記磁気ディスク装置の側面を保持する側面保持部と、前記電子機器への取付部とを有し、前記載置部と前記側面保持部とからなる断面が台形形状となる磁気ディスク装置の取付部材と、
当該電子機器に接続するためのコネクタ部を有し、前記取付部材の載置部に載置され、前記側面保持部にその側面を保持され、固定された磁気ディスク装置と、
前記取付部材の取付部を用いて取付けられた磁気ディスク装置の前記コネクタと接続するためのコネクタ部と、
を有することを特徴とする電子機器。
【請求項７】
前記取付部材において、
前記載置部と連結した前記側面保持部の下端間の距離は、搭載する磁気ディスク装置の規格幅における許容範囲の最大値と略同じかそれ以上の寸法で形成され、前記側面保持部の上端間の寸法は、搭載する磁気ディスク装置の規格幅における許容範囲の最小値と略同じかそれ以下の寸法で形成されていることを特徴とする請求項６記載の電子機器。
【請求項８】
前記取付部材において、
前記側面保持部は、その上端間の距離が一定範囲で変形できるようバネ性を有する素材で形成されることを特徴とする請求項６又は請求項７のいずれか記載の電子機器。
【請求項９】
前記取付部材において、
前記側面保持部における傾斜部分とは別に設けられ、前記載置部と略直角となるよう形成された磁気ディスク装置固定部を有することを特徴とする請求項６乃至請求項８のいずれか記載の電子機器。
【請求項１０】
前記取付部材において、
前記レール部は前記側面保持部に沿って形成されており、前記レール部、前記載値部及び前記側面保持部は一体的に構成されていることを特徴とする請求項６乃至請求項９のいずれか記載の電子機器。
【発明の詳細な説明】
【０００１】
【発明の属する技術分野】
本発明は、電子機器に対して磁気ディスク装置を取り付けるための磁気ディスク装置の取付部材及びそれを搭載した電子機器に関する。
【０００２】
【従来の技術】
従来より、パーソナルコンピュータをはじめとする様々な電子機器において、ハードディスク等を内蔵する磁気ディスク装置が搭載されている。近年、このような電子機器では、製造時の組立てや磁気ディスク装置の増設サービス等への配慮により、磁気ディスク装置を交換しやすいように取り付けられている。
【０００３】
このような従来の技術として、例えば、特開２０００−２００４７６号公報には、情報処理装置にハードディスク等のＤＩＳＫを載せた箱状の台からなるＤＩＳＫ収納筐体を差し込んで収納する構造が開示されている。
【０００４】
【発明が解決しようとする課題】
しかしながら、従来の装置では、磁気ディスク装置の幅規格に許容範囲が決められているため、磁気ディスク装置の製造上、その寸法に規格許容範囲内でのばらつきが発生し、ＤＩＳＫ収納筐体における箱状の台の幅寸法の製造精度が、そのばらつきに対応できず取付け不都合が生じるケースがあった。
【０００５】
この対策として、幅規格の中での特定幅に合わせた専用の磁気ディスク装置と台を用意することが考えられるが、汎用性がなくなりコストが増大する他、取付け不具合を無視して強制的に取付けるというケースも考えられるが、ＤＩＳＫ収納筐体に反り等の変形箇所が生じ、情報処理装置への取付けが困難になるという問題が生じる虞があった。
【０００６】
本発明は、以上の点に鑑みなされたもので、取付けに支障をきたすような変形を伴うことなく、磁気ディスク装置の幅方向における規格許容範囲内でのばらつきを吸収できる磁気ディスク装置の取付部材、及びそれを搭載した電子機器を提供することを目的とする。
【０００７】
【課題を解決するための手段】
上記目的を達成するために、本発明の磁気ディスク装置の取付部材は、電子機器に対して磁気ディスク装置を抜き差し可能に取り付けるレール部を有する磁気ディスク装置の取付部材において、前記磁気ディスク装置を載置する載置部と、前記載置部に弾性的に連結し、前記載置部側に傾斜させて設けられ、前記磁気ディスク装置の側面を保持する側面保持部とを有しており、前記載置部と前記側面保持部とからなる断面が台形形状となることを特徴とする。
【０００８】
上記目的を達成するために、本発明の電子機器は、レール部を有する取付部材に磁気ディスク装置を載置し、この取付部材のレール部を用いて磁気ディスク装置を抜き差し可能に取り付けられた電子機器において、前記磁気ディスク装置を載置する載置部と、前記載置部に弾性的に連結し、前記載置部側に傾斜させて設けられ、前記磁気ディスク装置の側面を保持する側面保持部と、前記電子機器への取付部とを有し、前記載置部と前記側面保持部とからなる断面が台形形状となる磁気ディスク装置の取付部材と、当該電子機器に接続するためのコネクタ部を有し、前記取付部材の載置部に載置され、前記側面保持部にその側面を保持され、固定された磁気ディスク装置と、前記取付部材の取付部を用いて取付けられた磁気ディスク装置の前記コネクタと接続するためのコネクタ部と、を有することを特徴とする。
【０００９】
【発明の実施の形態】
以下、本発明に係る実施の形態について図面を参照して詳細に説明する。図１は、磁気ディスク装置であるハードディスクドライブ（以下、ＨＤＤと称する）１に適用した実施形態について説明する。
【００１０】
図１に示すＨＤＤ１は、上面の開口した矩形箱状のベース筐体３２と、複数のねじ３１によりベース筐体３２にねじ止めされてベース筐体３２の上端開口を閉塞するトップカバー３４と、を有している。
【００１１】
ベース筐体３２は、その幅が２．５インチＨＤＤの幅規格に合わせて、６９．８５ｍｍ±０．２５ｍｍの範囲内の大きさに形成されている。また、ベース筐体３２の縦方向の図示せぬ面には、他の電子機器等の外部装置と接続するためのコネクタ３５が設けられている。
【００１２】
また、ベース筐体３２の両側面部における所定の箇所には、後述する取付部材１００に搭載された場合に、捩子止めされるための捩子受け部３３が設けられている。本実施例では、両側面部に夫々２箇所ずつ形成されている。
【００１３】
ベース筐体３２内には、磁気記録媒体としての磁気ディスク３６、この磁気ディスク３６を支持および回転させるスピンドルモータ３８、磁気ディスク３６に対して情報の記録、再生を行う複数の磁気ヘッド６０、これらの磁気ヘッド６０を磁気ディスク３６に対して移動自在に支持したキャリッジアセンブリ４２、キャリッジアセンブリ４２を回動および位置決めするボイスコイルモータ４４、および外部プリント回路基板とのインターフェースをなす基盤ユニット４１が収納されている。
【００１４】
また、ベース筐体３２の低壁外面には、基板ユニット４１を介してスピンドルモータ３８、ボイスコイルモータ４４、および磁気ヘッド６０の動作を制御する図示しないプリント回路基板がねじ止めされている。
【００１５】
磁気ディスク３６は、直径６５ｍｍ（２．５インチ）に形成され、上面及び下面に磁気記録層を有し、この磁気記録層は同心円状の複数のトラックに分割されている。磁気ディスク３６は、スピンドルモータ３８の図示しないハブに同軸的に嵌合されているとともにクランパ３７によりクランプされ、所定の速度で回転駆動される。
【００１６】
図２及び図３を用いて、本発明の一実施の形態を示すＨＤＤ１の取付部材１００について説明する。図２は取付部材１００の斜視図であり、図３は、図２における矢印Ａ方向から見た取付部材１００の正面図である。
【００１７】
図２に示す取付部材１００は、ＨＤＤ１を載置するための載置台１０１と、傾斜側面部１０２と、レール部１０３と、固定部１０４とから一体的に構成されている。
【００１８】
傾斜側面部１０２は、ＨＤＤ１の側面を挟持するもので、載置台１０１の側部に、載置台１０１（内側）方向に傾斜された状態で一体的に形成されている。従って、図３に示すように、図２の矢印Ａ方向から見た取付部材１００の形状は、上辺のない台形形状となる。
【００１９】
また、傾斜側面部１０２の寸法及び傾斜角度は、載置するＨＤＤの幅規格に沿って形成されている。即ち、図３に示すように、載置台１０１の幅寸法（または傾斜側面部１０２の下端間の寸法）ａはＨＤＤの幅規格における許容範囲の最大値、又はそれ以上の幅寸法に形成されている。また、傾斜側面部１０２傾斜角度は、その上端間の寸法ｂがＨＤＤの幅規格における許容範囲の最小値、又はそれ以下の幅寸法になるように形成されている。
【００２０】
２．５インチＨＤＤの幅規格は６９．８５ｍｍ±０．２５ｍｍと定められている。従って、本実施例では、載置台１０１の幅寸法ｂは６９．８５ｍｍ＋０．２５ｍｍ＝７０．１０ｍｍとなるよう形成されている。また、傾斜側面部１０２の上端間の寸法ａは６９．８５ｍｍ−０．２５ｍｍ＝６９．６０ｍｍとなるよう形成されている。
【００２１】
また、傾斜側面部１０２及び傾斜側面部１０２と載置台１０１との接続部分は変形可能なバネ性を持つ素材（例えばステンレス等）で形成される。
【００２２】
レール部１０３は、図２に示すように、傾斜側面部１０２の載置台１０１とは反対側の端部に沿って設けられ、かつ載置台１０１と平行になるように形成されている。
【００２３】
そして、ＨＤＤ１を搭載した取付部材１００を図４に示すコンピュータ等の電子機器２００のＨＤＤ搭載部２０３に取り付ける際に、このレール部１０３を、ＨＤＤ搭載部２０３内に形成されたコの字型レール受け２０１に、コネクタ３５が奥側に配置する状態で引掛けて、電子機器２００内部方向へスライドさせる。
これにより、ＨＤＤ１を搭載した取付部材１００を電子機器２００に取り付けることができる。
【００２４】
また、傾斜側面部１０２の所定箇所には捩子を通してＨＤＤを固定するための固定部１０４が形成されている。本実施例では、固定部１０４は、両方の傾斜側面部１０２の夫々に２箇所ずつ、合計４箇所に設けられている。
【００２５】
この固定部１０４は、図５に示すように、レール部１０３（また載置台１０１に対しても）と略直角になる位置に形成されている。従って、載置台１０１に載置されるＨＤＤ１の側面部に対して、ＨＤＤ１がどのような寸法であっても規定幅の許容範囲内であれば、固定部１０４が浮くことなく、固定部１０４全体が密着するように形成されている。
【００２６】
この固定部１０４に捩子を通し、ＨＤＤ１の捩子受け部３３に対して捩子を差し込んでいくことにより、取付部材１００に対して搭載させたＨＤＤ１を完全に固定することができる。
【００２７】
このような構成の取付部材により、ＨＤＤ１の取付け時には、搭載するＨＤＤ１の幅寸法に応じて、必要に応じてレール部１０３を外側方向（矢印Ｂ方向）に引っ張ることで、傾斜側面部１０２の傾斜角度をゆるくし、傾斜側面部１０２間の距離を大きくする方向に調整しながら、ＨＤＤ１を搭載していく。
【００２８】
次に、図６乃至図８を用いて、取付部材１００に対してＨＤＤ１の搭載方法について説明する。図６は、規格最小値の幅寸法で形成されたＨＤＤ１を搭載した状態を示す図である。
【００２９】
規格幅最小値の幅寸法ａ、即ち本実施例ではａ＝６９．６０ｍｍで形成されたＨＤＤ１を取付部材１００に取り付ける場合には、取付部材１００の傾斜側面部１０２の上端間の寸法ａは６９．８５ｍｍ−０．２５ｍｍ＝６９．６０ｍｍとなるよう形成されているので、図６（ａ）に示すように、傾斜側面部１０２の傾斜角度はそのままの状態でＨＤＤ１を載置することができる。
【００３０】
そして、ＨＤＤ１を載置台１０１上に載置後、固定部１０４の外側から捩子１０５を差込んで、ＨＤＤ１を取付部材１００に対して固定させる。
【００３１】
図６（ｂ）に示すように、このＨＤＤ１を固定させた取付部材１００を電子機器２００のＨＤＤ搭載部２０３内に形成されたコの字型レール受け２０１に、コネクタ３５が奥側に配置する状態で引掛けて、電子機器２００内部方向へスライドさせる。これにより、ＨＤＤ１を搭載した取付部材１００を電子機器２００に取り付けることができる。
【００３２】
この結果、最小幅のＨＤＤであってもその側面を傾斜側面部１０２において確実に保持することができ、固定部１０４はレール部１０３や載置台１０１と略直角に形成されているため、載置されたＨＤＤ１の側面部と密着することができ、更に捩子１０５によって固定されるため、取付部材１００は規格最小幅のＨＤＤ１が載置されたとしても、反ったりゆがんだりすることなく、ＨＤＤ１をしっかりと固定載置することができる。
【００３３】
次に、図７は規格範囲内の平均的な幅寸法で形成されたＨＤＤ１を搭載した状態を示す図である。
【００３４】
規格幅の範囲内の平均的な幅寸法ｃ、即ち本実施例ではａ＝６９．６０ｍｍより大きく、ｂ＝７０．１０ｍｍより小さい幅寸法で形成されたＨＤＤ１を取付部材１００に取り付ける場合には、図７（ａ）に示すように、取付部材１００の傾斜側面部１０２の上端間の寸法ａ＝６９．６０ｍｍそのままの状態ではＨＤＤ１は載置できない。
【００３５】
そこで、図７（ｂ）に示すように、傾斜側面部１０２を外側方向、傾斜側面部１０２の上端間の距離を広げる方向（図中、白抜き矢印の方向）に引っ張り、傾斜側面部１０２の上端間を広げてＨＤＤ１を挿入し、載置台１０１上に載置する。
【００３６】
そして、ＨＤＤ１を載置台１０１上に載置後、固定部１０４の外側から捩子１０５を差込んで、ＨＤＤ１を取付部材１００に対して固定させる。
【００３７】
図７（ｃ）に示すように、このＨＤＤ１を固定させた取付部材１００を電子機器２００のＨＤＤ搭載部２０３内に形成されたコの字型レール受け２０１に、コネクタ３５が奥側に配置する状態で引掛けて、電子機器２００内部方向へスライドさせる。これにより、ＨＤＤ１を搭載した取付部材１００を電子機器２００に取り付けることができる。
【００３８】
従って、規格幅の許容範囲内のＨＤＤであればその側面を傾斜側面部１０２において確実に保持することができ、固定部１０４はレール部１０３や載置台１０１と略直角に形成されているため、載置されたＨＤＤ１の側面部と密着することができ、更に捩子１０５によって固定されるため、取付部材１００は規格範囲内の平均的な幅を有するＨＤＤ１が載置されたとしても、反ったりゆがんだりすることなく、ＨＤＤ１をしっかりと固定載置することができる。
【００３９】
次に図８は規格最大値の幅寸法で形成されたＨＤＤ１を搭載した状態を示す図である。
規格幅最大値の幅寸法ｂ、即ち本実施例ではａ＝７０．１０ｍｍの幅寸法で形成されたＨＤＤ１を取付部材１００に取り付ける場合には、図８（ａ）に示すように、取付部材１００の傾斜側面部１０２の上端間の寸法ａ＝６９．６０ｍｍそのままの状態ではＨＤＤ１は載置できない。
【００４０】
そこで、図８（ｂ）に示すように、傾斜側面部１０２を外側方向、傾斜側面部１０２の上端間の距離を広げる方向（図中、白抜き矢印の方向）に引っ張り、傾斜側面部１０２の上端間を広げてＨＤＤ１を挿入し、載置台１０１上に載置する。
【００４１】
そして、ＨＤＤ１を載置台１０１上に載置後、固定部１０４の外側から捩子１０５を差込んで、ＨＤＤ１を取付部材１００に対して固定させる。
【００４２】
図８（ｃ）に示すように、このＨＤＤ１を固定させた取付部材１００を電子機器２００のＨＤＤ搭載部２０３内に形成されたコの字型レール受け２０１に、コネクタ３５が奥側に配置する状態で引掛けて、電子機器２００内部方向へスライドさせる。これにより、ＨＤＤ１を搭載した取付部材１００を電子機器２００に取り付けることができる。
【００４３】
この結果、最大幅のＨＤＤであってもその側面を傾斜側面部１０２において確実に保持することができ、載置台１０１の幅寸法は規格最大値と同じかそれ以上の寸法に形成されており、また固定部１０４はレール部１０３や載置台１０１と略直角に形成されているため、載置されたＨＤＤ１の側面部と密着することができ、更に捩子１０５によって固定されるため、取付部材１００は規格最大幅のＨＤＤ１が載置されたとしても、反ったりゆがんだりすることなく、ＨＤＤ１をしっかりと固定載置することができる。
【００４４】
【発明の効果】
以上説明したように、本発明によれば、取付けに支障をきたすような変形を伴うことなく、磁気ディスク装置の幅方向における規格許容範囲内でのばらつきを吸収できる。
【図面の簡単な説明】
【図１】本発明の一実施の形態に係る取付部材１００に搭載させる磁気ディスク装置１の構成を示す斜視図。
【図２】磁気ディスク装置１の取付部材１００の構成を示す斜視図。
【図３】取付部材１００の断面形状を示す図。
【図４】取付部材１００に磁気ディスク装置１を搭載し、取り付ける小型パーソナルコンピュータを示す斜視図。
【図５】取付部材１００における固定部１０４の構成を示す図。
【図６】取付部材１００に磁気ディスク装置１を搭載した際の断面形状を示す図。
【図７】取付部材１００に磁気ディスク装置１を搭載した際の断面形状を示す図。
【図８】取付部材１００に磁気ディスク装置１を搭載した際の断面形状を示す図。
【符号の説明】
１　　磁気ディスク装置、ハードディスクドライブ（ＨＤＤ）
３２　　ベース筐体
３３　　捩子受け部
３４　　トップカバー
３５　　コネクタ
１００　　取付部材
１０１　　載置台
１０２　　傾斜側面部
１０３　　レール部
１０４　　固定部
１０５　　捩子
２００　　電子機器
２０１　　レール受け
２０３　　ＨＤＤ搭載部
【図１】
2004039084.tif 000003
【図２】
2004039084.tif 000004
【図３】
2004039084.tif 000005
【図４】
2004039084.tif 000006
【図５】
2004039084.tif 000007
【図６】
2004039084.tif 000008
【図７】
2004039084.tif 000009
【図８】
2004039084.tif 000010